(57)【要約】  安全ドアストッパーは、「Ｖ」形プレート（１）および固定フック（３）からなり、固定フック（３）は、「Ｖ」形プレート（１）の上端に固定される。「Ｖ」形プレート（１）内に、さらに２枚の支持プレート（２）が固定され、「Ｖ」形プレートの支持強度を増強する。固定フック（３）に、ヒンジ軸を介して、可動フック（５）が接続される。本ドアストッパーを、固定フック（３）により、ドア（８）およびドアフレーム（７）の間のヒンジ（９）に掛けると、このとき「Ｖ」形プレートの２つの端部が、ドアおよびドアフレームの間の隙間を支持し、開いたドアが突然閉まるのを防止する。【選択図】図１
2012526209.tif 000002
【特許請求の範囲】
【請求項１】
Ｖ形プレートを含み、該Ｖ形プレートの間に支持プレートが接続され、該Ｖ形プレートの上端にフックを有することを特徴とする、安全ドアストッパー。
【請求項２】
前記Ｖ形プレートの内頂角が、９０度より小さいことを特徴とする、請求項１に記載の安全ドアストッパー。
【請求項３】
前記フックに、さらにフックがヒンジ連結されることを特徴とする、請求項１に記載の安全ドアストッパー。
【請求項４】
前記Ｖ形プレートが２枚のプレートを含み、該２枚のプレートが接合端を介して接合し、該接合端の別の一端が開口であり、２枚のプレートの間に支持プレートが固定されることを特徴とする、請求項１に記載の安全ドアストッパー。
【請求項５】
前記ドアストッパーを、フックによりドアおよびドアフレームの間のヒンジに掛けることを特徴とする、請求項１に記載の安全ドアストッパー。
【請求項６】
前記ドアストッパーが、プラスチック部品であることを特徴とする、請求項１に記載の安全ドアストッパー。
【発明の詳細な説明】
【技術分野】
【０００１】
本発明は、ドアが突然閉まるのを防止する安全ドアストッパーに関する。
【背景技術】
【０００２】
従来のドアストッパーのほとんどは楔形ブロックであり、楔形ブロックを開いたドアの下側に押し込むことにより、ドアが突然閉まるのを防止する。しかし、ドアの隙間には高低があり、ドアストッパーの高さを決定しにくい。ほかに、楔形ブロックは蹴られて外れやすく、ドアが突然閉まる現象がたびたび起こる。これにより、子どもが手の指を挟み切断する、または鍵を部屋に置いたまま鍵がかかる、などが起こることもあり、不必要な面倒が引き起こされる。開いたドアを開けたままにすることもできるが、引力の影響によって、ドアが突然閉まる現象がたびたび起こる。
【発明の概要】
【発明が解決しようとする課題】
【０００３】
本発明の目的は、安全ドアストッパーを提供することである。このドアストッパーは「Ｖ」形プレートであり、「Ｖ」形プレートをドアおよびドアフレームの間に設置することにより、ドアが突然閉まる現象を効果的に防止し、既存技術に存在する問題を解決した。
【課題を解決するための手段】
【０００４】
本発明を実現する技術案として、この種の安全ドアストッパーは「Ｖ」形プレートを含む。「Ｖ」形プレートの間に支持プレートが接続され、「Ｖ」形プレートの上端にフックを有する。
【０００５】
該技術案は、さらに以下を含む。
【０００６】
前述の「Ｖ」形プレートの内頂角は、９０度より小さい。
【０００７】
前述のフックに、さらにフックがヒンジ連結される。
【０００８】
前述の「Ｖ」形プレートは２枚のプレートを含み、この２枚のプレートは接合端を介して接合される。接合端のもう一端は開口であり、２枚のプレートの間に支持プレートが固定される。
【０００９】
前述のドアストッパーを、フックによりドアおよびドアフレームの間のヒンジに掛ける。
【００１０】
前述のドアストッパーは、プラスチック部品である。
【発明の効果】
【００１１】
本発明が有する有益な効果として、ドアが突然閉まることによって、子どもが手の指を挟み切断する、または鍵を部屋に置いたまま鍵がかかる、という状況が誘発される可能性を徹底的に解決する。製品は構造が簡単で低コストであり、使いやすく、回収しやすく環境保護である、などの利点を有する。
【図面の簡単な説明】
【００１２】
【図１】図１は、本発明の全体構造の立体概要図である。
【図２】図２は、図１の正面図である。
【図３】図３は、図２の側面図である。
【図４】図４は、図３の底面図である。
【図５】図５は、本発明のドアフレームおよびドアの概要図である。
【図６】図６は、本発明の使用状態の概要図である。
【図７】図７は、本発明を球状のドアロックに掛けた概要図である。
【発明を実施するための形態】
【００１３】
以下に図を組み合わせて、本発明に対してさらに説明を行う。
【実施例】
【００１４】
図に示すように、本ドアストッパーは、「Ｖ」形プレート１および固定フック３からなり、固定フック３は、「Ｖ」形プレート１の上端に固定される。「Ｖ」形プレート１内には、さらに２枚の支持プレート２が固定され、「Ｖ」形プレート１の支持強度を増強する。固定フック３に、ヒンジ軸４を介して可動フック５が接続される。
【００１５】
本ドアストッパーは、「Ａ」形構造に近似する。
【００１６】
本ドアストッパーの「Ｖ」形プレート１および固定フック３は、金型によるワンショット成形で形成され、材料はプラスチックである。
【００１７】
動作原理
ドア８を開くとき（図５を参照）、ドア８およびドアフレーム７の間のヒンジ９が外側に露出する。このとき、本ドアストッパーの固定フック３をヒンジ９に掛ける。このとき、「Ｖ」形プレート１は、ドア８およびドアフレーム７の間の隙間にある（図６を参照）。ドア８を閉めるとき、「Ｖ」形プレート１の２つの端部が、ドア８およびドアフレーム７の間を支持し、ドア８は閉まることがない。
【００１８】
本ドアストッパーを使用しないとき、次回の使用のために、可動フック５により、球状のドアロック１０に掛けることができる。
【符号の説明】
【００１９】
１  「Ｖ」形プレート
２  支持プレート
３  固定フック
４  ヒンジ軸
５  可動フック
６  開口溝
７  ドアフレーム
８  ドア
９  ヒンジ
１０  球状のドアロック
【図１】
2012526209.tif 000003
【図２】
2012526209.tif 000004
【図３】
2012526209.tif 000005
【図４】
2012526209.tif 000006
【図５】
2012526209.tif 000007
【図６】
2012526209.tif 000008
【図７】
2012526209.tif 000009
【手続補正書】
【提出日】平成23年12月22日(2011.12.22)
【手続補正１】
【補正対象書類名】明細書
【補正対象項目名】全文
【補正方法】変更
【補正の内容】
【発明の詳細な説明】
【技術分野】
【０００１】
本発明は、ドアが突然閉まるのを防止する安全ドアストッパーに関する。
【背景技術】
【０００２】
従来のドアストッパーのほとんどは楔形ブロックであり、楔形ブロックを開いたドアの下側に押し込むことにより、ドアが突然閉まるのを防止する。しかし、ドアの隙間には高低があり、ドアストッパーの高さを決定しにくい。ほかに、楔形ブロックは蹴られて外れやすく、ドアが突然閉まる現象がたびたび起こる。これにより、子どもが手の指を挟み切断する、または鍵を部屋に置いたまま鍵がかかる、などが起こることもあり、不必要な面倒が引き起こされる。開いたドアを開けたままにすることもできるが、引力の影響によって、ドアが突然閉まる現象がたびたび起こる。
【発明の概要】
【発明が解決しようとする課題】
【０００３】
本発明の目的は、安全ドアストッパーを提供することである。このドアストッパーは、回転可能なＶ形プレートおよび接続プレートを有し、接続プレートはドアまたはドアフレームに固定される。Ｖ形プレートが回転することにより、ドアおよびドアフレームの間に設置され、ドアが突然閉まる現象を効果的に防止して、既存技術に存在する欠陥を解決した。
【課題を解決するための手段】
【０００４】
本発明を実現する１つ目の技術案として、この種の安全ドアストッパーはドアおよびドアフレームの間を支えるのに使用され、回転可能なＶ形プレートおよび接続プレートを含む。Ｖ形プレートの間に支持プレートが接続され、Ｖ形プレートの側面の一端に軸穴を有し、接続プレートの一端にヒンジ連結軸を有する。ヒンジ連結軸は、Ｖ形プレートの軸穴内でヒンジ連結され、接続プレートはヒンジ連結軸を介してＶ形プレートと接続する。使用するとき、接続プレートはドアまたはドアフレームに固定される。
【０００５】
上述の１つ目の技術案は、さらに以下を含む。
【０００６】
前述のＶ形プレートの内頂角は、９０度より小さい。
【０００７】
前述のＶ形プレートは２枚のプレートを含み、この２枚のプレートは接合端を介して接合される。接合端は１筋の開口を有し、２枚のプレートの間に大きさの異なる２枚の支持プレートが順番に固定される。
【０００８】
前述の安全ドアストッパーは、プラスチック部品または金属部品または木材部品である。
【０００９】
本発明を実現する２つ目の技術案として、この種の安全ドアストッパーは、ドアおよびドアフレームの間を支えるのに使用され、Ｖ形プレートを含む。Ｖ形プレートの間に支持プレートが接続され、Ｖ形プレートの上端にフックを有する。
【００１０】
上述の２つ目の技術案は、さらに以下を含む。
【００１１】
前述のＶ形プレートは２枚のプレートを含み、この２枚のプレートは接合端を介して接合される。接合端は１筋の開口を有し、２枚のプレートの間に大きさの異なる２枚の支持プレートが順番に固定される。
【００１２】
前述のＶ形プレートの内頂角は、９０度より小さい。
【００１３】
前述のフックに、さらにフックがヒンジ連結される。
【００１４】
前述のドアストッパーを、フックによりドアおよびドアフレームの間のヒンジに掛ける。
【００１５】
前述のドアストッパーは、プラスチック部品または金属部品または木材部品である。
【発明の効果】
【００１６】
本発明が有する有益な効果として、ドアが突然閉まることによって、子どもが手の指を挟み切断する、または鍵を部屋に置いたまま鍵がかかる、という状況が誘発される可能性を徹底的に解決する。製品は構造が簡単で低コストであり、使用しやすく、回収しやすく環境保護である、などの利点を有する。
【図面の簡単な説明】
【００１７】
【図１】図１は、本発明の１つ目の全体構造の立体概要図である。
【図２】図２は、図１の使用状態の概要図である。
【図３】図３は、本発明の２つ目の全体構造の立体概要図である。
【図４】図４は、図３の正面図である。
【図５】図５は、図４の側面図である。
【図６】図６は、図５の底面図である。
【図７】図７は、図３の使用状態の概要図である。
【図８】図８は、図３を球状のドアロックに掛けた概要図である。
【図９】図９は、図２のドアを閉めるとき、ドアストッパーをドアの隙間から回転させて外す位置の図である。
【図１０】図１０は、図２のドアを開けるとき、ドアストッパーを回転させてドアの隙間をふさぐ位置の図である。
【図１１】図１１は、図９のＡ方向の拡大図である。
【図１２】図１２は、図１０のＢ方向の拡大図である。
【発明を実施するための形態】
【００１８】
以下に図および実施例を組み合わせて、本発明についてさらに説明を行う。
【実施例１】
【００１９】
図１に示すように、本安全ドアストッパー１は、Ｖ形プレート１１および接続プレート１５からなる。Ｖ形プレート１１は２枚のプレートの対頂を接続して形成され、Ｖ形プレート１１の内角は９０度より小さい。Ｖ形プレート１１の内角の間隔に、大きさの異なる２枚の支持プレート１２が固定され、Ｖ形プレート１１の支持強度を増強する。２枚のプレートの上端に１筋の開口１８を有する。Ｖ形プレート１１の側面の一端にへり１３を有し、へり１３に軸穴１４を有する。接続プレート１５の一端はヒンジ連結軸１７であり、ヒンジ連結軸１７は軸穴１４内で回転する。接続プレート１５は固定に使用するねじ穴１６を有し、接続プレート１５は、ねじによりドア４またはドアフレーム３に固定される。
【００２０】
本ドアストッパーは「Ａ」形構造に近似しており、材料はプラスチック、金属、木材、または上述の材料の組合せである。
【００２１】
動作原理（図２を参照）
使用するとき、接続プレート１５をドア４またはドアフレーム３に固定する。ドア４を開くとき、ドア４およびドアフレーム３の間に隙間が形成される。このとき、Ｖ形プレート１１を回転させて隙間に進入させ、ドア４およびドアフレーム３の間を支持させると、ドア４は閉じることができない。開いたドア４を閉める必要があるとき、Ｖ形プレート１１を回転させてそれを隙間から外せばよい。
【００２２】
本ドアストッパーは、Ｖ形プレートを回転させることにより、ドアストッパーの機能を実現する。
【実施例２】
【００２３】
図３に示すように、本ドアストッパーは、Ｖ形プレート１１および固定フック６からなり、固定フック６はＶ形プレート１１の上端に固定される。Ｖ形プレート１１内には、さらに２枚の支持プレート１２が固定され、Ｖ形プレート１１の支持強度を増強する。固定フック６に、ヒンジ軸７を介して可動フック８が接続される。
【００２４】
本ドアストッパーは、「Ａ」形構造に近似しており、材料はプラスチック、金属、木材、または上述の材料の組合せである。
【００２５】
本ドアストッパーのＶ形プレート１１および固定フック６は、金型によるワンショット成形で形成され、材料はプラスチックである。
【００２６】
動作原理
ドア４を開くとき、ドア４およびドアフレーム３の間のヒンジ２が外側に露出する。このとき、本ドアストッパーの固定フック６をヒンジ２に掛ける。このとき、Ｖ形プレート１１は、ドア４およびドアフレーム３の間の隙間にある（図７を参照）。ドア４を閉めるとき、Ｖ形プレート１１の２つの端部が、ドア４およびドアフレーム３の間を支持し、ドア４は閉まることがない。
【００２７】
本ドアストッパーを使用しないとき、次回の使用のために、可動フック８により、球状のドアロック５に掛けることができる。
【符号の説明】
【００２８】
１  安全ドアストッパー
１１  Ｖ形プレート
１２  支持プレート
１３  へり
１４  軸穴
１５  接続プレート
１６  ねじ穴
１７  ヒンジ連結軸
１８  開口
２  ヒンジ
３  ドアフレーム
４  ドア
５  球状のドアロック
６  固定フック
７  ヒンジ軸
８  可動フック
【手続補正２】
【補正対象書類名】特許請求の範囲
【補正対象項目名】全文
【補正方法】変更
【補正の内容】
【特許請求の範囲】
【請求項１】
ドアおよびドアフレームの間を支えるのに使用される安全ドアストッパーであり、前記ドアストッパーが、回転可能なＶ形プレートおよび接続プレートを含み、そのうちＶ形プレートの間に支持プレートが接続され、Ｖ形プレートの側面の一端が軸穴を有し、接続プレートの一端がヒンジ連結軸を有し、該ヒンジ連結軸がＶ形プレートの軸穴内でヒンジ連結され、該接続プレートがヒンジ連結軸を介してＶ形プレートと接続し、該接続プレートがドアまたはドアフレームに固定されることを特徴とする、安全ドアストッパー。
【請求項２】
前記Ｖ形プレートの内頂角が、９０度より小さいことを特徴とする、請求項１に記載の安全ドアストッパー。
【請求項３】
前記Ｖ形プレートが２枚のプレートを含み、該２枚のプレートが接合端を介して接合し、該接合端に１筋の開口を有し、２枚のプレートの間に大きさの異なる２枚の支持プレートが順番に固定されることを特徴とする、請求項１に記載の安全ドアストッパー。
【請求項４】
前記安全ドアストッパーが、プラスチック部品または金属部品または木材部品であることを特徴とする、請求項１に記載の安全ドアストッパー。
【請求項５】
ドアおよびドアフレームの間を支えるのに使用される安全ドアストッパーであり、前記安全ドアストッパーがＶ形プレートを含み、該Ｖ形プレートの間に支持プレートが接続され、該Ｖ形プレートの上端にフックを有することを特徴とする、安全ドアストッパー。
【請求項６】
前記Ｖ形プレートが２枚のプレートを含み、該２枚のプレートが接合端を介して接合し、該接合端に１筋の開口を有し、２枚のプレートの間に大きさの異なる２枚の支持プレートが順番に固定されることを特徴とする、請求項５に記載の安全ドアストッパー。
【請求項７】
前記Ｖ形プレートの内頂角が、９０度より小さいことを特徴とする、請求項５に記載の安全ドアストッパー。
【請求項８】
前記フックに、さらにフックがヒンジ連結されることを特徴とする、請求項５に記載の安全ドアストッパー。
【請求項９】
前記ドアストッパーを、フックによりドアおよびドアフレームの間のヒンジに掛けることを特徴とする、請求項５に記載の安全ドアストッパー。
【請求項１０】
前記ドアストッパーが、プラスチック部品または金属部品または木材部品であることを特徴とする、請求項５に記載の安全ドアストッパー。
【手続補正３】
【補正対象書類名】図面
【補正対象項目名】図８
【補正方法】追加
【補正の内容】
【図８】
2012526209.tif 000010
【手続補正４】
【補正対象書類名】図面
【補正対象項目名】図９
【補正方法】追加
【補正の内容】
【図９】
2012526209.tif 000011
【手続補正５】
【補正対象書類名】図面
【補正対象項目名】図１０
【補正方法】追加
【補正の内容】
【図１０】
2012526209.tif 000012
【手続補正６】
【補正対象書類名】図面
【補正対象項目名】図１１
【補正方法】追加
【補正の内容】
【図１１】
2012526209.tif 000013
【手続補正７】
【補正対象書類名】図面
【補正対象項目名】図１２
【補正方法】追加
【補正の内容】
【図１２】
2012526209.tif 000014
【国際調査報告】
2012526209.tif 000015
2012526209.tif 000016
2012526209.tif 000017
2012526209.tif 000018
2012526209.tif 000019
2012526209.tif 000020
2012526209.tif 000021
2012526209.tif 000022